(57)【要約】  【課題】  ＣＰＵのスリープ状態においても、常に外部からの信号に反応して作業を行うことができ、最適な省電力化を一律に行うことができる電子機器、特にファクシミリ装置を提供する。  【解決手段】  ＣＰＵが休止状態(スリープ状態)にあるときに消費電力を減少させる省電力回路を備える電子機器において、まず、ＣＰＵからの休止信号と特定の入力信号とに基づいて駆動信号を出力する駆動回路を設ける。そして、この駆動信号に基づいて、ＣＰＵの休止状態を解除するリセット信号を出力するリセット回路を備える。これにより、電子機器を使用しないときは、もっとも深いスリープ状態にしておくことができ、且つ、特定の入力信号があったときはスリープ状態から復帰してこの電子機器を作動させることができる。【選択図】  図１
2006186722.tif 000002
【特許請求の範囲】
【請求項１】
ＣＰＵが駆動クロックを停止するスリープモードを備える電子機器において、
前記ＣＰＵにより制御されるゲート信号と、特定の入力信号とに基づいてリセット信号を出力するゲート回路と、
前記リセット信号に基づいて、前記ＣＰＵをリセットするリセット回路を備えることを特徴とする、電子機器。
【請求項２】
ＣＰＵが駆動クロックを停止するスリープモードを備えるファクシミリ装置において、
前記ＣＰＵにより制御されるゲート信号と、リンガー信号とに基づいてリセット信号を出力するゲート回路と、
前記リセット信号に基づいて、前記ＣＰＵをリセットするリセット回路を備えることを特徴とする、ファクシミリ装置。
【発明の詳細な説明】
【技術分野】
【０００１】
本発明は、スリープ機能を持つＣＰＵを備えた電子機器、特にファクシミリ装置に関する。
【背景技術】
【０００２】
近年、省電力化を図るため、画像形成装置やパーソナルコンピュータ等の電子機器において、通常の動作が行われていない待機時の消費電力をいかに抑えるかということが注目されるようになってきている。例えばファクシミリ装置においては、待機時には駆動部や定着部への主電源回路からの電流の供給を行わず、いわゆる省エネ機能を採用することで省電力化を図る技術がある。
【０００３】
一方、CPU （Central Processing Unit）においても、CPU動作クロックを停止するモード、いわゆるスリープモードを持ち、省エネ化を図ることができる。
【０００４】
ところが、電子機器の用途や機能によっては、省電力化を図りつつも、常に外部からの信号に反応して作業を行うこと、即ち、主電源回路からの電力の供給を再開して通常の動作状態に復帰することが必要となる場合がある。例えば前記ファクシミリ装置では、常に外部から電話線を介して入力されるリンガー信号に対応して、動作を開始する必要がある。従って、このような外部入力に対応する必要があるため、CPU をスリープモードとしさらなる省電力化を図ることができなかった。
【０００５】
このため、従来の電子機器のＣＰＵの省電力対応として、ＣＰＵを２つ備え、消費電力の少ないＣＰＵをサブＣＰＵとして省エネモード時も動作させ、省エネモードからの復帰動作を行わせるものがある。
【特許文献１】特開２００４−５０２９号公報
【発明の開示】
【発明が解決しようとする課題】
【０００６】
しかし、上記の技術では、ＣＰＵを２つ備えねばならず、構成が複雑になる。また、消費電力が少なくはなるが、ＣＰＵが１つ動作していることに変わりは無くその省エネ効果は少ない。
【０００７】
本発明はこのような問題点に鑑みてなされたものであって、ＣＰＵのスリープ状態においても、常に外部からの信号に反応して作業を行うことができ、最適な省電力化を一律に行うことができる電子機器、特にファクシミリ装置を提供することを目的とする。
【課題を解決するための手段】
【０００８】
上記の目的を達成するために、本発明では次のような手段を採用している。
【０００９】
本願出願人は、どのＣＰＵにも備えられているリセット端子と、ＣＰＵをリセットするためのリセット回路が、いずれの電子機器にも備えられていることに着目した。リセット端子とはあらゆる種類のＣＰＵに一律に備えられており、もっとも深いスリープ状態でも作動している端子である。
【００１０】
そこで、ＣＰＵが駆動クロックを停止するスリープモードを備える電子機器において、
ＣＰＵにより制御されるゲート信号と、特定の入力信号とに基づいてリセット信号を出力するゲート回路と、リセット信号に基づいて、ＣＰＵをリセットするリセット回路を備えることを特徴とする。
【００１１】
これにより、電子機器を使用しないときは、もっとも深いスリープ状態にしておくことができ、且つ、特定の入力信号があったときはスリープ状態から復帰してこの電子機器を作動させることができる。従って、省電力化にもっとも貢献できる電子機器が実現可能となるのである。
【００１２】
尚、上記電子機器がファクシミリ装置であるときは、上記特定の入力信号は、上述したリンガー信号となる。
【発明の効果】
【００１３】
以上のように、本発明によれば、ＣＰＵのスリープ状態においても、常に外部からの信号に反応して作業を行うことができ、最適な省電力化を一律に行うことができる電子機器、特にファクシミリ装置を提供できる。
【発明を実施するための最良の形態】
【００１４】
以下、本発明を実施するための最良の形態について、図面を参照しながら詳細に説明する。
【００１５】
図1は、本発明の電子機器の制御回路のうちの本発明に関連するＣＰＵ周辺の回路図である。
【００１６】
ＣＰＵ１１にはゲート信号出力用のポートが配置され、このゲート信号は抵抗Ｒ１により電源電圧にプルアップされるとともに、２入力のＡＮＤ回路１３に入力される（Ａ）。また、ＡＮＤ回路１３のもう１つの入力には、リンガー信号が入力される（Ｂ）。この出力（Ｙ）は、抵抗Ｒ２により電源電圧にプルアップされるとともに、トランジスタ１４のベースに接続される。トランジスタ１４のコレクタは抵抗Ｒ３により電源電圧にプルアップされるとともに、リセット回路１６に入力される。前記、ＡＮＤ回路１３、トランジスタ１４がゲート回路に相当する。
【００１７】
前記リセット回路１６は、電源ＯＮ時に、一定時間ＣＰＵ１１をリセットするリセット信号を出力するものであるが、前記ゲート回路からリセット回路１６に入力する信号によっても、電源オン時と同様の動作を行うように構成されている（例えばこの信号がＨｉｇｈからＬｏｗにたち下がった時に動作するとする）。
【００１８】
電子機器が通常の動作を行っている時は、ＣＰＵ１１はゲート信号１１の出力をＬｏｗ状態とする。従って、ＡＮＤ回路１３の入力ＡはＬｏｗとなり、リンガー信号の有無にかかわらず、出力ＹはＬｏｗとなり、トランジスタ１４はオフのままで、リセット回路１６にはＨｉｇｈ信号が入力される。
【００１９】
電子機器の動作が停止してＣＰＵ11(CPU : Central Processing Unit)が休止状態（スリープ状態）に移行するとき、ＣＰＵ11はポートからのゲート信号１２を切替えてＨｉｇｈとし、駆動クロックを停止しスリープ状態に移行する。
【００２０】
スリープ状態にあるときに特定の入力信号が上記ＡＮＤ回路13の端子Bに入力されたとする。すると、このＡＮＤ回路13の入力ＡはＨｉｇｈが入力されているため、特定の入力信号が出力Yから出力される。ここで、前記特定の入力信号の信号レベルは、図示しないインターフェース回路により適当な信号レベルに変換されているものとする。例えば、特定の入力信号の電圧レベルを抵抗による分圧等により適当なレベルに変換したり、特定の入力信号が入力された時にＨｉｇｈとなるように反転回路を設けたりする。
【００２１】
特定の入力信号が入力されると、トランジスタ１４がオンとなり、リセット回路１６にはＬｏｗ信号が入力され、リセット回路１６が動作し、ＣＰＵ１１がリセットされる。ＣＰＵ１１は、リセット後直ちにゲート信号１２をＬｏｗに設定する。従って、ゲート回路は閉じられＣＰＵ１１がスリープ状態から復帰後は、特定の入力信号によりリセットされることは無い。
【００２２】
特にこの電子機器がファクシミリ装置の場合には上記特定の入力信号は、ファクシミリの受信を知らせるリンガー信号(16Hzのパルス信号)となる。
【００２３】
一般に電子機器の制御に使用されるＣＰＵの状態には駆動周波数を低くする等様々な階層(深さ)があるが、もっとも省エネ効果の高いスリープ状態においてもリセット信号をリセット端子17が受信すると、ＣＰＵ11のスリープ状態が解除され、電子機器の動作が開始される。これにより、例えば、この電子機器がファクシミリ装置の場合には、上記リンガー信号の入力によりファクシミリの受信が開始されることになる。
【００２４】
以上のように、リセット回路16とリセット端子17を活用することにより、電子機器を使用しないときは、もっとも深いスリープ状態にしておくことができ、且つ、特定の入力信号があったときはスリープ状態から復帰してこの電子機器を作動させることができる。従って、省電力化にもっとも貢献できる電子機器が実現可能となる。
【００２５】
尚、以上ではファクシミリ装置を例に挙げて説明したが、本発明の電子機器はファクシミリ装置のみに限定されるものではなく、例えば、パーソナルコンピュータなどであってもよい。この場合、上記特定の入力信号として例えばマウスの動きを検出する信号を用いれば、ユーザがマウスを操作した場合に、このパーソナルコンピュータのＣＰＵをもっとも深いスリープ状態から復帰させて使用することが可能となる。
【産業上の利用可能性】
【００２６】
本発明にかかる電子機器は、ＣＰＵが駆動クロックを停止するスリープモードを備える電子機器において、ＣＰＵにより制御されるゲート信号と、特定の入力信号とに基づいてリセット信号を出力するゲート回路と、リセット信号に基づいて、ＣＰＵをリセットするリセット回路を備えることを特徴とする。従って、省電力化を図りつつも、常に外部からの信号に反応して動作をする必要があるファクシミリ装置等として有用である。
【図面の簡単な説明】
【００２７】
【図１】本発明の電子機器の省電力回路図。
【符号の説明】
【００２８】
・  ＣＰＵ
・  ゲート信号
・  ＡＮＤ回路
・  トランジスタ
・  ゲート回路
・  リセット回路
・  リセット端子
18,19,20  抵抗
【図１】
2006186722.tif 000003